(57)【要約】【課題】施設内への浸水を防止する防水扉を提供する。【解決手段】浮上部材は、略平板形状であり、施設の入口境界と水密に面接触し、収納部材は、前記浮上部材を収納する筐体であり、前記入口境界の外側の地中に配置され、浮上部材は、一の表面に略角柱形状の浮上部材用凸部を備え、収納部材は、浮上部材の前記一の表面に対面する内面に略角柱形状の収納部材用凸部を備え、浮上部材用凸部の外側端面は上向き傾斜面であり、収納部材用凸部の外側端面は下向き傾斜面であり、浸水する水が収納部材の内部に流入して浮上部材を浮上させ、浮上部材用凸部の上向き傾斜面と収納部材用凸部の下向き傾斜面とが接触することで、浮上している浮上部材を施設の入口境界の方向に押し付け、入口境界と水密に面接触した状態を形成し、浸水を防止する。【選択図】図２
2020143503.tif 000002
【特許請求の範囲】
【請求項１】
施設内への浸水を防止する防水扉であって、
比重が１未満であり、防水時に浸水した水の浮力で浮上する浮上部材と、
前記浮上部材を収納する収納部材と、
前記収納部材の上面開口部を覆う蓋部材と
を有し、
前記浮上部材は、略平板形状であり、防水時に該浮上部材の一の表面で浸水する水を堰き止め、他の表面で前記施設の入口境界と水密に面接触し、
前記収納部材は、前記浮上部材を収納する筐体であり、前記入口境界の外側の地中に配置され、前記上面開口部は地表に位置し、
前記浮上部材は、前記一の表面に略角柱形状の浮上部材用凸部を備え、
前記収納部材は、前記浮上部材の前記一の表面に対面する内面に略角柱形状の収納部材用凸部を備え、
前記浮上部材用凸部の外側端面は、上向き傾斜面であり、
前記収納部材用凸部の外側端面は、下向き傾斜面であり、
防水時に、前記蓋部材を移動して前記収納部材の前記上面開口部を開口し、浸水する水が前記上面開口部から前記収納部材の内部に流入して、該収納部材の内部に収納された前記浮上部材を浮上させ、このとき、前記浮上部材用凸部の前記上向き傾斜面と前記収納部材用凸部の前記下向き傾斜面とが接触することで、浮上している前記浮上部材を前記施設の前記入口境界の方向に押し付けるように移動することで、該浮上部材の前記他の表面と前記施設の前記入口境界とを水密に面接触した状態を形成し、前記施設内への浸水を防止する、
ことを特徴とする防水扉。
【請求項２】
前記浮上部材は、略四角形状の板部材であり、前記収納部材に立てた状態で配置され、該浮上部材の前記他の表面の上辺を除く３辺に水密用の弾性部材を備え、
前記弾性部材が弾性変形することで、防水時に前記浮上部材と前記施設の前記入口境界とを水密に面接触する、
ことを特徴とする、請求項１に記載の防水扉。
【請求項３】
前記浮上部材は、該浮上部材の側面に第１の上昇防止用凸部を備え、
前記収納部材は、該収納部材の前記浮上部材の側面に対面する内面に第２の上昇防止用凸部を備え、
防水時で、前記収納部材の内部に収納された前記浮上部材が浮上したときに、前記第１の上昇防止用凸部が前記第２の上昇防止用凸部の位置まで上昇して、該第１の上昇防止用凸部が該第２の上昇防止用凸部に接触して停止することで、該浮上部材の浮上動作を停止し、該浮上部材を所望の位置に固定する、
ことを特徴とする、請求項１または請求項２に記載の防水扉。
【請求項４】
防水扉を用いて、施設内への浸水を防止する防水方法であって、
前記防水扉は、防水時に浸水した水の浮力で浮上する浮上部材と、前記浮上部材を収納する収納部材と、前記収納部材の上面開口部を覆う蓋部材とを有し、
前記浮上部材は、略平板形状であり、防水時に該浮上部材の一の表面で浸水する水を堰き止め、他の表面で前記施設の入口境界と水密に面接触し、
前記収納部材は、前記浮上部材を収納する筐体であり、前記入口境界の外側の地中に配置され、前記上面開口部は地表に位置し、
前記浮上部材は、前記一の表面に略角柱形状の浮上部材用凸部を備え、
前記収納部材は、前記浮上部材の前記一の表面に対面する内面に略角柱形状の収納部材用凸部を備え、
前記浮上部材用凸部の外側端面は、上向き傾斜面であり、
前記収納部材用凸部の外側端面は、下向き傾斜面である、
前記防水扉を用いて、前記施設内への浸水を防止する防水方法において、
防水時に、前記蓋部材を移動して前記収納部材の前記上面開口部を開口する防水準備ステップと、
浸水した水が前記上面開口部から前記収納部材の内部に流入して、該収納部材の内部に収納された前記浮上部材を浮上させる扉浮上ステップと、
前記浮上部材用凸部の前記上向き傾斜面と前記収納部材用凸部の前記下向き傾斜面とが接触することで、浮上している前記浮上部材を前記施設の前記入口境界の方向に押し付けるように移動させ、該浮上部材の前記他の表面と前記施設の前記入口境界とが水密に面接触した状態を形成して、該浮上部材の前記一の表面で浸水する水を堰き止めて、前記施設内への浸水を防止する防水ステップと
を含む、
ことを特徴とする防水方法。
【発明の詳細な説明】
【技術分野】
【０００１】
本発明は、建物や地下道、駐車場、通路等に設置され、豪雨、洪水、高潮、津波等に建物等の内部への浸水を防止する防水扉および防水方法に関する。
【背景技術】
【０００２】
防水扉および防水方法は、平常時に出入口の床面や路面等の通路面下に収納しておき、大雨や洪水が発生した時に防水扉を起立させ、出入口を塞ぐようにした起上式のものが知られている。防水扉の起立動作は、駆動源を用いて自動操作する自動タイプと、人が起立させる手動タイプの２種類がある。特許文献１では、防水扉を出入口の通路面下に設けた収納部に概ね水平状態に収納し、当該防水扉が回動し起立状態になることで当該出入口を閉塞する起上式の防水扉装置であって、支持装置に回動可能に支持された防水扉と、防水扉の裏面側を押し上げる回動アームと、回動アームに復元力を付与する弾性復元装置とを備え、前記回動アームの先端部は防水扉の裏面に沿って上下方向に移動し、前記防水扉の裏面は前記回動アームの先端部の移動をガイドするガイド部材を有し、前記ガイド部材は前記回動アーム側に向けて円弧状に突出した円弧形状部になっていることを特徴とする起上式防水扉装置に関する技術を開示している。特許文献２では、上方が開口した収納体と、通常時には倒伏状態で前記収納体の蓋となるとともに、洪水時には起立状態で前後方向を止水する扉体と、一端側及び他端側にそれぞれ給排水口が設けられ、前記二つの給排水口のうちいずれか一方からの水の供給により前記扉体を倒伏状態から起立状態まで回動させる水圧シリンダーを備える防水扉において、内部に水を溜めたタンクと、圧力を掛けて前記タンクの水を前記水圧シリンダーに供給するとともにその水を前記タンクまで循環させる増圧ポンプと、開閉して前記水圧シリンダーへの給水及び前記水圧シリンダーからの排水の方向を切り替える複数のバルブを備えることを特徴とする防水扉に関する技術を開示している。
【先行技術文献】
【特許文献】
【０００３】
【特許文献１】特開２０１６−１１８０３９号公報
【特許文献２】特開２０１５−１０１９２９号公報
【発明の概要】
【発明が解決しようとする課題】
【０００４】
停電時でも自動操作するための電源を必要とすることなく、緊急時でも容易に操作できる防水扉および防水方法を求められている。また、構造が単純で、低価格の防水扉および防水方法が求められている。
【０００５】
本発明は、停電時でも自動操作するための電源を必要とすることなく、緊急時でも容易に操作できる防水扉または防水方法を提供することを目的とする。また、本発明は、構造が単純で、低価格の防水扉および防水方法を提供することを目的としてもよい。
【課題を解決するための手段】
【０００６】
上記課題を解決するために、本発明の一つの実施形態は、施設内への浸水を防止する防水扉であって、比重が１未満であり、防水時に浸水した水の浮力で浮上する浮上部材と、前記浮上部材を収納する収納部材と、前記収納部材の上面開口部を覆う蓋部材とを有し、前記浮上部材は、略平板形状であり、防水時に該浮上部材の一の表面で浸水する水を堰き止め、他の表面で前記施設の入口境界と水密に面接触し、前記収納部材は、前記浮上部材を収納する筐体であり、前記入口境界の外側の地中に配置され、前記上面開口部は地表に位置し、前記浮上部材は、前記一の表面に略角柱形状の浮上部材用凸部を備え、前記収納部材は、前記浮上部材の前記一の表面に対面する内面に略角柱形状の収納部材用凸部を備え、前記浮上部材用凸部の外側端面は、上向き傾斜面であり、前記収納部材用凸部の外側端面は、下向き傾斜面であり、防水時に、前記蓋部材を移動して前記収納部材の前記上面開口部を開口し、浸水する水が前記上面開口部から前記収納部材の内部に流入して、該収納部材の内部に収納された前記浮上部材を浮上させ、このとき、前記浮上部材用凸部の前記上向き傾斜面と前記収納部材用凸部の前記下向き傾斜面とが接触することで、浮上している前記浮上部材を前記施設の前記入口境界の方向に押し付けるように移動することで、該浮上部材の前記他の表面と前記施設の前記入口境界とを水密に面接触した状態を形成し、前記施設内への浸水を防止する、ことを特徴とする防水扉を提供する。
【０００７】
本発明の他の実施形態は、上記の防水扉であって、前記浮上部材は、略四角形状の板部材であり、前記収納部材に立てた状態で配置され、該浮上部材の前記他の表面の上辺を除く３辺に水密用の弾性部材を備え、前記弾性部材が弾性変形することで、防水時に前記浮上部材と前記施設の前記入口境界とを水密に面接触する、ことを特徴とする防水扉であってもよい。また、本発明の他の実施形態は、上記のいずれかの防水扉であって、前記浮上部材は、該浮上部材の側面に第１の上昇防止用凸部を備え、前記収納部材は、該収納部材の前記浮上部材の側面に対面する内面に第２の上昇防止用凸部を備え、防水時で、前記収納部材の内部に収納された前記浮上部材が浮上したときに、前記第１の上昇防止用凸部が前記第２の上昇防止用凸部の位置まで上昇して、該第１の上昇防止用凸部が該第２の上昇防止用凸部に接触して停止することで、該浮上部材の浮上動作を停止し、該浮上部材を所望の位置に固定する、ことを特徴とする防水扉であってもよい。
【０００８】
本発明のその他の実施形態は、防水扉を用いて、施設内への浸水を防止する防水方法であって、前記防水扉は、防水時に浸水した水の浮力で浮上する浮上部材と、前記浮上部材を収納する収納部材と、前記収納部材の上面開口部を覆う蓋部材とを有し、前記浮上部材は、略平板形状であり、防水時に該浮上部材の一の表面で浸水する水を堰き止め、他の表面で前記施設の入口境界と水密に面接触し、前記収納部材は、前記浮上部材を収納する筐体であり、前記入口境界の外側の地中に配置され、前記上面開口部は地表に位置し、前記浮上部材は、前記一の表面に略角柱形状の浮上部材用凸部を備え、前記収納部材は、前記浮上部材の前記一の表面に対面する内面に略角柱形状の収納部材用凸部を備え、前記浮上部材用凸部の外側端面は、上向き傾斜面であり、前記収納部材用凸部の外側端面は、下向き傾斜面である、前記防水扉を用いて、前記施設内への浸水を防止する防水方法において、防水時に、前記蓋部材を移動して前記収納部材の前記上面開口部を開口する防水準備ステップと、浸水した水が前記上面開口部から前記収納部材の内部に流入して、該収納部材の内部に収納された前記浮上部材を浮上させる扉浮上ステップと、前記浮上部材用凸部の前記上向き傾斜面と前記収納部材用凸部の前記下向き傾斜面とが接触することで、浮上している前記浮上部材を前記施設の前記入口境界の方向に押し付けるように移動させ、該浮上部材の前記他の表面と前記施設の前記入口境界とが水密に面接触した状態を形成して、該浮上部材の前記一の表面で浸水する水を堰き止めて、前記施設内への浸水を防止する防水ステップとを含む、ことを特徴とする防水方法であってもよい。
【発明の効果】
【０００９】
本発明に係る防水扉および防水方法によれば、停電時でも自動操作するための電源を必要とすることなく、緊急時でも容易に操作することができる。また、本発明に係る防水扉および防水方法によれば、構造が単純で、低価格の防水扉および防水方法を提供することができる。
【図面の簡単な説明】
【００１０】
【図１】本発明の実施形態に係る防水扉の使用例を説明する説明図である。
【図２】本発明の実施形態に係る防水扉の一例を説明する説明図である。
【図３】本発明の実施形態に係る防水扉の浮上部材の一例を説明する説明図である。
【図４】本発明の実施形態に係る防水扉の動作の一例を説明する説明図である。
【図５】本発明の実施形態に係る防水方法の一例を説明する説明図である。
【図６】本発明の実施例に係る防水扉の一例を説明する説明図である。
【発明を実施するための形態】
【００１１】
実施形態に係る防水扉および防水方法の例を用いて、本発明を説明する。なお、本発明は、以後に説明する防水扉および防水方法以外でも、平板部材を用いて施設内への浸水を防止するものや方法であれば、いずれのもの及び方法に用いることができる。なお、浸水する水の種類や量、物性、状態は、特に限定されない。
【００１２】
下記に示す順序で、本発明を説明する。
１．防水扉の構成
２．防水方法
【００１３】
（１．防水扉の構成）
図１乃至図４を用いて、本発明の実施形態に係る防水扉の構成を説明する。ここで、図１（ａ）は、本発明の実施形態に係る防水扉１００の使用例（非防水時）を説明する説明図である。図１（ｂ）は、本発明の実施形態に係る防水扉１００の使用例（防水時）を説明する説明図である。図２（ａ）は、本発明の実施形態に係る防水扉の一例（非防水時）を説明する正面図である。図２（ｂ）は、本発明の実施形態に係る防水扉の一例（防水時）を説明する正面図である。図２（ｃ）は、本発明の実施形態に係る防水扉の一例（非防水時）を説明する平面図である。図３（ａ）は、本発明の実施形態に係る防水扉の浮上部材１１の一例を説明する正面図である。図３（ｂ）は、本発明の実施形態に係る防水扉の浮上部材１１の一例を説明する背面図である。図３（ｃ）は、本発明の実施形態に係る防水扉の浮上部材１１の一例を説明する右側面図である。図４（ａ）は、本発明の実施形態に係る防水扉の動作の一例（防水開始時）を説明する断面図（図２（ａ）のＤＤ断面図）である。図４（ｂ）は、本発明の実施形態に係る防水扉の動作の一例（浮上部材１１の浮上動作Ｍｂ）を説明する断面図（図２（ａ）のＤＤ断面図）である。図４（ｃ）は、本発明の実施形態に係る防水扉の動作の一例（浮上部材１１の水密動作Ｍｃ）を説明する断面図（図２（ａ）のＤＤ断面図）である。なお、図１等に示す例は一例であり、本発明は図１等に示す例に限定されるものではない。
【００１４】
本発明に係る防水扉は、施設内（建築物内，地下道内，駐車場内、家屋内、など）への浸水を防止するもの（装置、手段、部品、システム、など）である。図１（ａ）および図１（ｂ）に示すように、本発明に係る防水扉１００は、施設の入口境界ＲＩに配置され、浸水時にせり上がって、浸水する液体（水、汚水、海水、淡水、など）を堰き止めて、浸水を防止する。
【００１５】
図２（ａ）乃至図２（ｃ）に示すように、本発明に係る防水扉は、防水時に浸水した水の浮力で浮上する浮上部材１１と、浮上部材１１を収納する収納部材１２と、収納部材１２の上面開口部を覆う蓋部材（図４（ａ）の２０）とを有する。なお、浮上部材１１、収納部材１２および蓋部材の材質および形状は、特に限定されない。浮上部材１１、収納部材１２および蓋部材の材質および形状は、公知の技術を利用することができ、実験、設計、計画などで予め定められた材質および形状とすることができる。
【００１６】
浮上部材１１は、防水時に浸水した水の浮力で浮上し、浸水した水を堰き止める部材である。浮上部材１１は、略平板形状（本実施形態では、略四角形状の板部材）であり、浸水した水の浮力で浮上する比重である。浮上部材１１は、本実施形態では、比重が１未満の部材である。浮上部材１１は、防水時に一の表面で浸水する水を堰き止め、他の表面で施設の入口境界と水密に面接触する。これにより、本発明に係る防水扉は、施設内への浸水を防止することができる。
【００１７】
図２（ａ）乃至図２（ｃ）および図３（ａ）乃至図３（ｃ）に示すように、浮上部材１１は、本実施形態では、一の表面に略角柱形状の浮上部材用凸部１１Ａ（１１Ａａ、１１Ａｂ、１１Ａｃ、１１Ａｄ）と、防水時に弾性変形して施設の入口境界と水密に面接触する水密用の弾性部材１１ｅと、浮上部材１１の浮上動作を停止して所望の位置に固定する第１の上昇防止用凸部１１ｓと、を備える。
【００１８】
図３（ａ）乃至図３（ｃ）に示すように、浮上部材用凸部１１Ａは略角柱形状であり、浮上部材用凸部１１Ａの外側端面は上向き傾斜面である。図２（ａ）乃至図２（ｃ）および図３（ａ）乃至図３（ｃ）に示すように、浮上部材用凸部１１Ａは、本実施形態では、４つの部材を備える。浮上部材用凸部１１Ａは、防水時で、浮上部材１１の浮上時に（たとえば図４（ｂ）のＭｂ）、後述する収納部材用凸部１２Ａの下向き傾斜面と接触することで、浮上部材１１を施設の入口境界の方向に押し付けるように移動させる（たとえば図４（ｃ）のＭｃ）。これにより、本発明に係る浮上部材１１（防水扉）は、水密用の弾性部材１１ｅを弾性変形することで、浮上部材１１の他の表面と施設の前記入口境界とを水密に面接触した状態を形成することができ、施設内への浸水を防止することができる。また、本発明に係る浮上部材１１（防水扉）は、浸水した水の水圧も利用することができるので、さらに水密性を高めることができる。なお、浮上部材用凸部１１Ａの数および形状、材質、配置位置は、特に限定されない。浮上部材用凸部１１Ａの数および形状、材質、配置位置は、実験、設計、計画などで予め定められた数および形状、材質、配置位置とすることができる。
【００１９】
図３（ｂ）および図３（ｃ）に示すように、水密用の弾性部材１１ｅは、浮上部材１１の他の表面の上辺を除く３辺に配置される。また、水密用の弾性部材１１ｅは、弾性変形する気密または水密機能を有する部材である。水密用の弾性部材１１ｅは、防水時（浸水時、たとえば図４（ｃ）のＭｃ）に弾性変形することで、浮上部材１１と施設の入口境界とを水密に面接触する。これにより、本発明に係る浮上部材１１（防水扉）は、水密用の弾性部材１１ｅを弾性変形することで、施設内への浸水を防止することができる。また、本発明に係る浮上部材１１（防水扉）は、水密用の弾性部材１１ｅを浮上部材１１の他の表面の上辺を除く３辺に配置することで、効率的に水密部分を形成することができる。なお、水密用の弾性部材１１ｅの形状および材質、配置位置は、特に限定されない。水密用の弾性部材１１ｅの形状および材質、配置位置は、実験、設計、計画などで予め定められた形状および材質、配置位置とすることができる。
【００２０】
図３（ａ）乃至図３（ｃ）に示すように、第１の上昇防止用凸部１１ｓは、凸形状であり、浮上部材１１の２箇所の側面にそれぞれ配置される。第１の上昇防止用凸部１１ｓは、浮上部材１１が浮上したときに後述する第２の上昇防止用凸部（たとえば図２（ｂ）の１２ｓ）の位置まで上昇して（たとえば図４（ｂ））、第２の上昇防止用凸部に接触して停止する。これにより、本発明に係る浮上部材１１（防水扉）は、浮上部材１１の浮上動作を停止し、浮上部材１１を所望の位置に固定することができる。なお、第１の上昇防止用凸部１１ｓの形状および数、材質、配置位置並びに所望の位置は、特に限定されない。第１の上昇防止用凸部１１ｓの形状および数、材質、配置位置並びに所望の位置は、実験、設計、計画などで予め定められた形状および数、材質、配置位置並びに所望の位置とすることができる。
【００２１】
図２（ａ）乃至図２（ｃ）および図３（ａ）乃至図３（ｃ）に示すように、収納部材１２は、浮上部材１１を収納する筐体であり、入口境界の外側の地中に配置される。収納部材１２の上面開口部（たとえば図１（ａ）の１００ａ）は、地表に位置する。収納部材１２は、本実施形態では、浮上部材１１の一の表面に対面する内面に略角柱形状の収納部材用凸部１２Ａ（１２Ａａ、１２Ａｂ、１２Ａｃ、１２Ａｄ）と、浮上部材１１の浮上動作を停止して所望の位置に固定する第２の上昇防止用凸部１２ｓと、浮上部材１１の収納時に浮上部材１１を保持する緩衝部材１２ｔと、を備える。収納部材１２は、略四角形状の板部材の浮上部材１１を立てた状態で内部に収納する。また、収納部材１２は、防水時に、浸水した水が上面開口部から収納部材の内部に流入して、浸水した水を内部に蓄え、収納部材１２の内部に収納された浮上部材１１を浮上させる（たとえば図４（ａ）および図４（ｂ））。
【００２２】
図２（ａ）乃至図２（ｃ）に示すように、収納部材用凸部１２Ａは略角柱形状であり、収納部材用凸部１２Ａの外側端面は下向き傾斜面である。図２（ａ）乃至図２（ｃ）に示すように、収納部材用凸部１２Ａは、本実施形態では、４つの部材を備える。収納部材用凸部１２Ａは、防水時で、浮上部材１１の浮上時に（たとえば図４（ｂ）のＭｂ）、浮上部材用凸部１１Ａの上向き傾斜面と接触することで、浮上部材１１を施設の入口境界の方向に押し付けるように移動させる（たとえば図４（ｃ）のＭｃ）。これにより、本発明に係る浮上部材１１（防水扉）は、水密用の弾性部材１１ｅを弾性変形することで、浮上部材１１の他の表面と施設の前記入口境界とを水密に面接触した状態を形成することができ、施設内への浸水を防止することができる。なお、収納部材用凸部１２Ａの形状および数、材質、配置位置は、特に限定されない。収納部材用凸部１２Ａの数および形状、材質、配置位置は、実験、設計、計画などで予め定められた数および形状、材質、配置位置とすることができる。
【００２３】
図２（ａ）乃至図２（ｃ）に示すように、第２の上昇防止用凸部１２ｓは、凸形状であり、浮上部材１１の側面に対面する２箇所の内面にそれぞれ配置される。第２の上昇防止用凸部１２ｓは、浮上部材１１が浮上したときに第１の上昇防止用凸部１１ｓを停止させる（たとえば図４（ｂ））。これにより、本発明に係る収納部材１２（防水扉）は、浮上部材１１の浮上動作を停止させ、浮上部材１１を所望の位置に固定することができる。なお、第２の上昇防止用凸部１２ｓの形状および数、材質、配置位置並びに所望の位置は、特に限定されない。第２の上昇防止用凸部１２ｓの形状および数、材質、配置位置並びに所望の位置は、実験、設計、計画などで予め定められた形状および数、材質、配置位置並びに所望の位置とすることができる。
【００２４】
図４（ａ）に示すように、蓋部材２０は、収納部材１２（防水扉１００）の上面開口部（たとえば図１の１００ａ）を覆う部材である。蓋部材２０は、施設内外に出入りする人のために、防水扉１００（収納部材１２）の上面開口部を閉じている。なお、蓋部材２０の形状および材質、配置位置は、特に限定されない。蓋部材２０の形状および材質、配置位置は、実験、設計、計画などで予め定められた形状および材質、配置位置とすることができる。
【００２５】
以上のとおり、本発明に係る防水扉によれば、停電時でも自動操作するための電源を必要とすることなく、緊急時でも容易に操作することができる。また、本発明に係る防水扉によれば、構造が単純で、低価格の防水扉を提供することができる。
【００２６】
また、本発明に係る防水扉によれば、防水時に、停電時でも自動操作するための電源を必要とすることなく、蓋部材を移動して収納部材の上面開口部を開口し、浸水する水が上面開口部から収納部材の内部に流入して、収納部材の内部に収納された浮上部材を浮上させることができる。このとき、本発明に係る防水扉によれば、浮上部材用凸部の上向き傾斜面と収納部材用凸部の下向き傾斜面とが接触することで、浮上している浮上部材を施設の入口境界の方向に押し付けるように移動させ、浮上部材の他の表面と施設の入口境界とを水密に面接触した状態を形成する。また、本発明に係る防水扉は、浸水した水の水圧も利用して、浮上部材の他の表面と施設の入口境界とを水密に面接触した状態を形成することができるので、さらに水密性を高めることができる。これにより、本発明に係る防水扉によれば、施設内への浸水を防止することができ、且つ、緊急時でも容易に操作することができる。また、本発明によれば、構造が単純で、電源も必要とせず、メンテナンスも特に必要としない防水扉を提供することができる。
【００２７】
（２．防水方法）
図５を用いて、本発明に係る防水方法を説明する。ここで、図５は、本発明の実施形態に係る防水方法の一例を説明するフローチャート図である。なお、図５に示す防水方法は一例であり、本発明は図５に示す防水方法に限定されるものではない。
【００２８】
図５に示すように、本発明の実施形態に係る防水方法は、ステップＳ５０１において、先ず、浸水等の予兆または発生を発見し、防水する動作を開始する。防水する動作は、例えば管理者、使用者の都合のよいタイミングで、開始することができる。本発明に係る防水方法は、上記の（１．防水扉の構成）に記載の防水扉を用いて、防水する動作を開始する。その後、本発明に係る防水方法は、ステップＳ５０２に進む。
【００２９】
次に、本発明に係る防水方法は、ステップＳ５０２において、図４（ａ）に示すように、蓋部材２０を移動して収納部材の上面開口部を開口する（防水準備ステップ）。なお、蓋部材２０の移動は自動・電動・手動であってもよい。その後、本発明に係る防水方法は、ステップＳ５０３に進む。
【００３０】
次いで、本発明に係る防水方法は、ステップＳ５０３において、図４（ｂ）に示すように、浸水した水ＷＳが上面開口部から収納部材１２の内部に流入する。このとき、本発明に係る防水方法は、ステップＳ５０４において、図４（ｂ）に示すように、収納部材１２の内部に収納された浮上部材１１を浮上Ｍｂさせる（扉浮上ステップ）。その後、本発明に係る防水方法は、ステップＳ５０５に進む。
【００３１】
ステップＳ５０５において、本発明に係る防水方法は、図４（ｃ）に示すように、浮上部材用凸部の上向き傾斜面と収納部材用凸部の下向き傾斜面とが接触することで、浮上している浮上部材１１を施設の入口境界の方向に押し付けるように移動させ（Ｍｃ）、浮上部材１１の他の表面と施設の入口境界とが水密に面接触した状態を形成して、浮上部材１１の一の表面で浸水する水を堰き止めて、施設内への浸水を防止する（防水ステップ）。その後、本発明に係る防水方法は、ステップＳ５０６に進む。
【００３２】
ステップＳ５０６において、本発明に係る防水方法は、防水する動作を維持するか否かを判断する。その後、防水する動作を終了すると判断した場合には、本発明に係る防水方法は、図中の「ＥＮＤ」に進み、動作を終了する。なお、本発明に係る防水方法は、復旧時に、収納部材の中の水を回収して、浮上部材をもとの位置に容易に戻すことができ、容易に復旧することができる。
【００３３】
以上のとおり、本発明に係る防水方法によれば、上記の（１．防水扉の構成）と同様の効果を得ることができる。
【００３４】
（実施例）
図６を用いて、本発明の実施例に係る防水扉の一例を説明する。ここで、図６（ａ）は、本発明の実施例に係る防水扉（浮上部材の比重が０．５の場合）の例を説明する説明図である。図６（ｂ）は、本発明の実施例に係る防水扉（浮上部材の比重が０．３の場合）の例を説明する説明図である。なお、図６に示す例は一例であり、本発明は図６に示す例に限定されるものではない。
【００３５】
図６（ａ）に示すように、本実施例に係る防水扉は、浮上部材１１ａの比重が０．５である。防水扉は、収納部材が満水になった時点で、浮上した浮上部材１１ａの第１の上昇防止用凸部１１Ａ１が第２の上昇防止用凸部１２Ａ１に接触して、浮上部材１１ａを施設の入口境界ＲＩの方向に押し付けるように移動させ、浮上部材１１ａの他の表面と施設の入口境界ＲＩとが水密に面接触した状態を形成する。これにより、本発明に係る浮上部材１１ａ（防水扉）は、浮上部材１１ａの一の表面で浸水する水を堰き止めて、施設内への浸水を防止することができる。なお、第１の上昇防止用凸部１１Ａ１および第２の上昇防止用凸部１２Ａ１の形状および数、材質、配置位置並びに所望の位置は、浮上部材１１ａの比重に基づいて、実験、設計、計画などで予め定められた形状および数、材質、配置位置並びに所望の位置とすることができる。本発明に係る防水扉は、たとえば収納部材が満水になった時点で、第１の上昇防止用凸部と第２の上昇防止用凸部とが接触する配置であってもよい。
【００３６】
図６（ｂ）に示すように、本実施例に係る防水扉は、浮上部材１１ｂの比重が０．３である。防水扉は、収納部材が満水になった時点で、浮上した浮上部材１１ｂの第１の上昇防止用凸部１１Ａ２が第２の上昇防止用凸部１２Ａ２に接触して、浮上部材１１ｂを施設の入口境界の方向に押し付けるように移動させ、浮上部材１１ｂの他の表面と施設の入口境界とが水密に面接触した状態を形成する。これにより、本発明に係る浮上部材１１ｂ（防水扉）は、浮上部材１１ｂの一の表面で浸水する水を堰き止めて、施設内への浸水を防止することができる。なお、第１の上昇防止用凸部１１Ａ２および第２の上昇防止用凸部１２Ａ２の形状および数、材質、配置位置並びに所望の位置は、浮上部材１１ｂの比重に基づいて、実験、設計、計画などで予め定められた形状および数、材質、配置位置並びに所望の位置とすることができる。本発明に係る防水扉は、たとえば収納部材が満水になった時点で、第１の上昇防止用凸部と第２の上昇防止用凸部とが接触する配置であってもよい。
【００３７】
以上のとおり、本発明の実施例に係る防水扉によれば、上記の（１．防水扉の構成）と同様の効果を得ることができる。
【産業上の利用可能性】
【００３８】
本発明は、浮力で浮上する平板部材を用いて液体の流れ等を堰き止めるものや方法であれば、いずれの産業分野においても好適に利用することが可能である。なお、堰き止める液体の種類や量、物性、状態は、特に限定されない。
【００３９】
以上のとおり、本発明に係る実施形態および実施例について説明したが、本発明は上記の実施形態および実施例に限定されるものではない。すなわち、本発明は、請求の範囲に記載の内容に基づいて、様々に変形、変更又はその他任意に改変され得る。
【符号の説明】
【００４０】
１００  ：  防水扉
１００ａ：  上面開口部
１１，１１ａ，１１ｂ：  浮上部材
１１Ａ，１１Ａａ，１１Ａｂ，１１Ａｃ，１１Ａｄ，１１Ａ１，１１Ａ２：  浮上部材用凸部
１１ｅ：  水密用の弾性部材
１１ｓ：  第１の上昇防止用凸部
１２  ：  収納部材
１２Ａ，１２Ａａ，１２Ａｂ，１２Ａｃ，１２Ａｄ，１２Ａ１，１２Ａ２：  収納部材用凸部
１２ｓ：  第２の上昇防止用凸部
１２ｔ：  緩衝部材
２０  ：  蓋部材  
Ｍｂ，Ｍｃ：  浮上部材の移動方向
ＲＩ  ：  施設の入口境界
ＷＳ  ：  浸水した水
ＷＳ１，ＷＳ２：  浸水した水の水位
【図１】
2020143503.tif 000003
【図２】
2020143503.tif 000004
【図３】
2020143503.tif 000005
【図４】
2020143503.tif 000006
【図５】
2020143503.tif 000007
【図６】
2020143503.tif 000008